(57)【要約】      （修正有）【課題】筺体の内部に収容された現像剤が、筺体の外部へと漏れることを抑制することができる現像装置を提供する。【解決手段】現像ユニットは、現像フレームと、現像ローラ９２と、供給ローラと、層厚規制ブレードと、現像ローラ９２の回転軸線方向端部と接触するように配置されている一対のサイドシールと、現像ローラ９２の回転軸線方向に沿って延びるロアシールと、を備えている。ロアシールにおける現像ローラ９２の回転軸線方向の両端部は、サイドシールにおける現像ローラ９２との摺接面の上に重なるように配置される。また、ロアシールは、現像ローラ９２の回転軸線方向の端部から現像ローラ９２の回転方向下流側に向けて延出する延出部を備えている。延出部は、サイドシールにおける現像ローラ９２の回転方向に延びる両端の間に配置されている。【選択図】図６
2015176105.tif 000002
【特許請求の範囲】
【請求項１】
現像剤を担持するための現像ローラと、
前記現像ローラが配置された現像室と、内部に現像剤を収容するための現像剤収容室と、を有している筐体と、
前記現像ローラの回転軸線方向の端部と前記筐体との間に配置されたサイドシールと、
前記回転軸線方向に沿って延び、前記回転軸線方向の端部が前記サイドシールと重なるように配置されたロアシールと、を備え、
前記ロアシールは、可撓性のシートからなり、前記回転軸線方向の端部から前記現像ローラの回転方向下流側に向けて延出する延出部と、を有し、
前記延出部は、前記サイドシールにおける前記現像ローラの回転方向に延びる両端の間に配置されている、ことを特徴とする現像装置。
【請求項２】
前記サイドシールは、基材と、基材上に配置された植毛材と、を有している、ことを特徴とする、請求項１に記載の現像装置。
【請求項３】
前記植毛材は、前記現像ローラの回転方向下流側に向かうにつれて、前記現像室に近づくように倒れている、ことを特徴とする請求項２に記載の現像装置。
【請求項４】
前記延出部は、第１端と、前記回転軸線方向において前記第１端を挟んで前記現像室とは反対側に配置された第２端と、を有し、
前記第１端は、前記現像ローラの回転方向下流側に向かうにつれて、前記現像室に近づくように配置されている、ことを特徴とする請求項１から請求項３のいずれか一項に記載の現像装置。
【請求項５】
前記第１端と前記回転軸線方向とがなす角度は、前記繊維束が倒れている方向と前記回転軸線方向とがなす角度よりも大きい、ことを特徴とする請求項４に記載の現像装置。
【請求項６】
前記延出部は、第１端と、前記回転軸線方向において前記第１端を挟んで前記現像室とは反対側に配置された第２端と、を有し、
前記第１端は、前記現像ローラの回転方向下流側に向かうにつれて、前記現像室から離れるように配置されている、ことを特徴とする請求項１または請求項３のいずれか一項に記載の現像装置。
【請求項７】
前記第１端と前記植毛材が倒れている方向とがなす角度は、９０度である、ことを特徴とする請求項６に記載の現像装置。
【請求項８】
前記第２端は、前記現像ローラの回転方向下流側に向かうにつれて、前記現像室に近づくように配置されている、ことを特徴とする請求項４から７のいずれか一項に記載の現像装置。
【請求項９】
前記第２端と前記回転軸線方向とがなす角度は、前記植毛材が倒れている方向と前記回転軸線方向とがなす角度よりも小さい、ことを特徴とする請求項８に記載の現像装置。
【発明の詳細な説明】
【技術分野】
【０００１】
本発明は、現像ローラの回転軸線方向に沿って延びて、現像ローラと摺接するロアシールを備えた現像装置に関する。
【背景技術】
【０００２】
レーザプリンタなどの電子写真方式の画像形成装置は、感光ドラムの表面に静電潜像を形成し、現像剤としてのトナーが収容されている現像装置から感光ドラムの静電潜像にトナーを供給することにより、感光ドラムの表面にトナー像を形成する。そして、画像形成装置は、そのトナー像を転写材である用紙に転写することによって、用紙への画像形成を行う。
【０００３】
この現像装置は、トナーを担持するための現像ローラと、現像ローラが配置されている現像室と内部にトナーを収容しているトナー収容室とを有している筐体と、現像ローラの端部と摺接して筺体の外部へのトナー漏れを抑制するためのサイドシールと、を備えている。サイドシールは、スポンジからなる基材と、基材の上に植毛された植毛材と、を備えている。
【０００４】
この現像装置は、さらに、現像ローラの回転軸線方向に沿って配置されるとともに、現像ローラと摺接するように配置された可撓性のシートからなるロアシールを備えている。ロアシールは、ＰＥＴ（ポリエチレンテレフタラート）からなり、サイドシールとの間からのトナー漏れを抑制するために、現像ローラの回転軸線方向の端部がサイドシール上に乗り上げるように配置されている（特許文献１参照）。
【先行技術文献】
【特許文献】
【０００５】
【特許文献１】特開平１１−１１９５４７号公報
【発明の概要】
【発明が解決しようとする課題】
【０００６】
しかしながら、このような構成によると、現像ローラを筐体に組み付けたときに、現像ローラとサイドシールとの間に、ロアシールの厚み分の段差が生じてしまう。そのため、筺体の内部に収容されたトナーは、この段差を通って、サイドシール上に侵入してしまうことがある。
【０００７】
この段差にトナーが侵入している状態において、段差内にさらにトナーが侵入すると、先に段差内に侵入していたトナーは、後から段差内に侵入してきたトナーによって、押し込まれる。すると、先に段差内に侵入していたトナーは、現像ローラの回転軸線方向に沿って押し込まれることとなる。言い換えると、先に段差内に侵入していたトナーは、筺体の外部へ向けて押し込まれることとなる。その結果、先に段差内に侵入していたトナーが、筺体の外部へと漏れてしまう恐れがある。
【０００８】
そこで、本発明は、サイドシールとロアシールの間に生じた段差から侵入した現像剤が、筺体の外部へと漏れることを抑制することができる現像装置を提供することを目的とする。
【課題を解決するための手段】
【０００９】
（１）上記の課題を達成するために、本発明の現像装置は、現像剤を担持するための現像ローラと、現像ローラが配置された現像室と、内部に現像剤を収容するための現像剤収容室と、を有している筐体と、現像ローラの回転軸線方向端部と筐体との間に配置されたサイドシールと、現像ローラの回転軸線方向に沿って延び、現像ローラの回転軸線方向の端部がサイドシールと重なるように配置されたロアシールと、を備えている。
【００１０】
ロアシールは、可撓性のシートからなり、現像ローラの回転軸線方向の端部から現像ローラの回転方向下流側に向けて延出する延出部と、を有している。
【００１１】
延出部は、サイドシールにおける現像ローラの回転方向に延びる両端の間に配置されている。
【００１２】
このような構成によれば、サイドシール上に侵入する現像剤は、延出部によって堰き止められる。すなわち、サイドシールとロアシールの段差から多量の現像剤が侵入したとしても、侵入した現像剤は、延出部によって堰き止められる。
【００１３】
つまり、筺体の内部に収容された現像剤が、筺体の外部へと漏れることを抑制することができる。
【００１４】
（２）サイドシールは、基材と、基材上に配置された植毛材と、を有しているとよい。
【００１５】
このような構成によれば、植毛材は、現像ローラの周面に対して密着した状態で接触する。
【００１６】
そのため、サイドシールは、現像ローラとの間に隙間が生じ難い。つまり、現像ローラとサイドシールとの間からの現像剤漏れを抑制することができる。
【００１７】
（３）植毛材は、現像ローラの回転方向下流側に向かうにつれて、現像室に近づくように倒れているとよい。
【００１８】
このような構成によれば、サイドシール上に侵入した現像剤は、現像ローラの回転に伴い、植毛材が倒れている方向に沿って移動する。言い換えると、サイドシール上に侵入した現像剤は、現像室に戻る。
【００１９】
そのため、サイドシール上に侵入した現像剤は、サイドシール上にて長時間保持されない。つまり、現像剤がサイドシール上にて固着することを抑制できる。
【００２０】
（４）延出部は、第１端と、現像ローラの回転軸線方向において第１端を挟んで現像室とは反対側に配置された第２端と、を有しているとよい。
【００２１】
第１端は、現像ローラの回転方向下流側に向かうにつれて、現像室に近づくように配置されているとよい。
【００２２】
このような構成によれば、現像剤が第１端によって堰き止められている状態で、さらに現像剤が侵入すると、先に第１端に堰き止められていた現像剤は、後に侵入してきた現像剤によって押し込まれる。すると、先に第１端に堰き止められていた現像剤は、第１端に沿って移動する。言い換えると、先に第１端に堰き止められていた現像剤は、現像室に戻る。
【００２３】
そのため、サイドシール上に侵入した現像剤は、サイドシール上にて長時間保持されない。つまり、現像剤がサイドシール上にて固着することを抑制できる。
【００２４】
（５）第１端と現像ローラの回転軸線方向とがなす角度は、植毛材が倒れている方向と現像ローラの回転軸線方向とがなす角度よりも大きいとよい。
【００２５】
第１端と現像ローラの回転軸線方向とがなす角度が、植毛材が倒れる方向と現像ローラの回転軸線方向とがなす角度よりも小さい場合、第１端に堰き止められている現像剤は、サイドシール上から現像室へと戻るときに、第１端に堰き止められる恐れがある。
【００２６】
しかしながら、このような構成によれば、第１端に堰き止められている現像剤は、サイドシール上から現像室へと戻るときに、第１端に堰き止められ難い。言い換えると、第１端に堰き止められている現像剤は、サイドシール上から現像室へと戻りやすい。
【００２７】
そのため、サイドシール上に侵入した現像剤は、サイドシール上にて長時間保持されない。つまり、現像剤がサイドシール上にて固着することを抑制することができる。
【００２８】
（６）第１端は、現像ローラの回転方向下流側に向かうにつれて、現像室から離れるように配置されているとよい。
【００２９】
このような構成によれば、サイドシール上に現像剤が侵入したときに、当該現像剤の一部は、第１端に沿って移動する。
【００３０】
そのため、サイドシール上に侵入した現像剤が、第１端の近傍に溜まることを抑制できる。その結果、サイドシール上に侵入した現像剤は、サイドシール上にて長時間保持されない。つまり、現像剤がサイドシール上にて固着することを抑制することができる。
【００３１】
（７）第１端と植毛材が倒れている方向とがなす角度は、９０度であるとよい。
【００３２】
このような構成によれば、サイドシール上に多量の現像剤が侵入したときに、当該現像剤は、第１端によって堰き止められつつ、第１端に沿って広がる。
【００３３】
そのため、サイドシール上に侵入した現像剤は、第１端によって堰き止められる。その後、堰き止められた現像剤は、第１端の近傍に溜まり難い。つまり、筺体の内部に収容された現像剤が、筺体の外部へと漏れることを抑制しつつ、現像剤がサイドシール上にて固着することを抑制することができる。
【００３４】
（８）第２端は、前記現像ローラの回転方向下流側に向かうにつれて、現像室に近づくように配置されているとよい。
【００３５】
サイドシールとロアシールの段差から多量の現像剤が侵入することで、侵入した現像剤の一部が第１端にて堰き止めきれない場合、第１端によって堰き止めきれなかった現像剤は、サイドシール上から現像室へと戻るときに、第２端に堰き止められてしまう恐れがある。
【００３６】
しかしながら、このような構成によれば、第１端によって堰き止めきれなかった現像剤は、サイドシール上から現像室へと戻るときに、第２端に堰き止められ難い。
【００３７】
そのため、サイドシール上にて現像剤が長時間保持されることをより抑制することができる。つまり、現像剤がサイドシール上にて固着することを抑制することができる。
【００３８】
（９）第２端と現像ローラの回転軸線方向とがなす角度は、植毛材が倒れている方向と現像ローラの回転軸線方向とがなす角度よりも小さいとよい。
【００３９】
このような構成によれば、第１端によって堰き止めきれなかった現像剤は、さらに、サイドシール上から現像室へと戻るときに、第２端に堰き止められ難い。
【００４０】
そのため、サイドシール上にて現像剤が長時間保持されることをより抑制することができる。つまり、現像剤がサイドシール上にて固着することを抑制することができる。
【発明の効果】
【００４１】
本発明によれば、筺体の内部に収容された現像剤が、筺体の外部へと漏れることを抑制することができる。
【図面の簡単な説明】
【００４２】
【図１】レーザプリンタの断面の模式図。
【図２】現像ユニットの断面の模式図。
【図３】図２の現像ユニットから現像ローラとロアシールを取り外した状態を右上方から見た斜視図。
【図４】サイドシールの断面の模式図。
【図５】植毛材の構造を説明するための説明図。
【図６】サイドシールの正面図。
【図７】ロアシールの斜視図。
【図８】延出部の構造を説明するための説明図。
【図９】実施形態２の延出部の構造を説明するための説明図。
【発明を実施するための形態】
【００４３】
＜実施形態１＞
本発明の実施形態１について、適宜図面を参照しながら詳細に説明する。
【００４４】
１．レーザプリンタ１の全体構成
まず、図１を参照して、レーザプリンタ１の全体構成を説明する。レーザプリンタ１は、本体フレーム１０と、用紙を給紙するための給紙部２０と、給紙された用紙に画像を形成するための画像形成部３０と、用紙を排紙するための排紙部４０と、を備えている。
【００４５】
本体フレーム１０は、給紙部２０と、画像形成部３０と、排紙部４０と、を内部に収容している。給紙部２０は、内部に用紙を収容するための給紙カセット２１と、給紙カセット２１から用紙をピックアップして画像形成部に向けて搬送するための給紙ローラ２２と、を備えている。給紙カセット２１は、前後方向にスライドさせることによって本体フレーム１０に着脱可能に構成されており、本体フレーム１０の底部に配置されている。画像形成部３０は、給紙部２０の上側に配置されている。排紙部４０は、画像形成部３０の後側に配置され、画像形成部３０にて画像形成された用紙を筐体の外部へと排紙するように構成されている。
【００４６】
画像形成部３０は、後述する感光ドラム８２の外周面上に静電潜像を形成するための露光装置５０と、プロセスユニット６０と、用紙上に形成されたトナー像を定着するための定着装置７０と、を備えている。
【００４７】
露光装置５０は、本体フレーム１０の上部に配置されている。プロセスユニット６０は、本体フレーム１０に着脱可能に構成され、ドラムユニット８０と、現像装置の一例としての現像ユニット９０と、を備えている。
【００４８】
ドラムユニット８０は、ドラムフレーム８１と、感光ドラム８２と、感光ドラム８２の外周面上を一様に帯電させるための帯電器８３と、感光ドラム８２の外周面上に担持された現像剤を用紙に転写するための転写ローラ８４と、を備えている。現像ユニット９０は、ドラムユニット８０に着脱可能に構成され、筺体の一例としての現像フレーム９１と、感光ドラム８２にトナーを供給するための現像ローラ９２と、を備えている。
【００４９】
定着装置７０は、加熱源としてのヒータが内部に配置された加熱ローラ７１と、加熱ローラ７１との間にニップ部を形成する加圧ローラ７２と、を備えている。用紙に形成された現像剤像は、当該ニップ部を通過することによって、用紙上に定着する。
【００５０】
２．現像ユニット９０の構成
次に、図２から図６を参照して、現像ユニット９０の構成を説明する。
【００５１】
現像ユニット９０は、図２に示すように、現像フレーム９１と、現像ローラ９２と、供給ローラ９３と、層厚規制ブレード９４と、を備えている。
【００５２】
現像フレーム９１は、現像ローラ９２及び供給ローラ９３を収容している現像室９１ａと、正帯電非磁性１成分のトナーからなる現像剤を収容しているトナー収容室９１ｂと、を有している。
【００５３】
現像ローラ９２は、現像フレーム９１に支持され、金属シャフトと、金属シャフトの周囲に設けられたウレタンゴムまたはシリコーンゴムからなる。供給ローラ９３は、現像フレーム９１に支持され、金属シャフトと、金属シャフトの周囲に設けられたスポンジからなる。層厚規制ブレード９４は、基端が現像フレーム９１に固定され、先端が現像ローラ９２と接触するように配置されている。
【００５４】
現像ユニット９０は、さらに、図３に示すように、現像ローラ９２の回転軸線方向端部と接触するように配置されている一対のサイドシール９５と、現像ローラ９２の回転軸線方向に沿って延びて、現像ローラ９２の回転軸線方向の略全域と接触するように配置されているロアシール１００と、を備えている。また、現像フレーム９１は、さらに、ロアシール１００を支持するためのロアシール支持面９１ｃを備えている。
【００５５】
一対のサイドシール９５およびロアシール１００は、現像フレーム９１の外部へとトナーが漏れることを抑制するために配置されている。また、ロアシール１００は、可撓性を有するシート状の部材からなる。本実施形態において、ロアシール１００は、シート状に構成されたＰＥＴ（ポリエチレンテレフタレート）からなる。
【００５６】
また、ロアシール１００における現像ローラ９２の回転軸線方向の長さは、ロアシール支持面９１ｃにおける現像ローラ９２の回転軸線方向の長さよりも長くなるように構成されている。そのため、ロアシール１００をロアシール支持面９１ｃに貼り付けると、ロアシール１００における現像ローラの回転軸線方向の両端部は、ロアシール支持面９１ｃに支持されない状態となる。具体的には、ロアシール１００における現像ローラの回転軸線方向の両端部は、サイドシール９５における現像ローラ９２との摺接面の上に重なるように配置される。言い換えると、ロアシール１００における現像ローラの回転軸線方向の両端部は、現像ユニット９０を組み付けたときに、現像ローラ９２とサイドシール９５との間に配置される。
【００５７】
なお、一対のサイドシール９５は、左右対称の構造を有している。そのため、以下からは、右側のサイドシール９５について詳細に説明する。サイドシール９５は、図４に示すように、基材９６と、基材９６の上に配置された植毛材９７と、を備えている。
【００５８】
基材９６は、ポリエチレンフォームなどのスポンジからなり、現像フレーム９１に両面テープなどの接着剤を介して貼り付けられる。
【００５９】
植毛材９７は、図５に示すように、基材９６の上に植毛され、複数の繊維が束ねられた複数の繊維束９７ａを備えている。複数の繊維束９７ａは、図６に示すように、略等しい間隔を空けて配置され、現像ローラ９２の回転方向下流側に向かうにつれて、現像室９１ａに近づくように倒されている。すると、植毛材９７上に侵入したトナーは、複数の繊維束９７ａに沿って、現像室９１ａへと戻る。
【００６０】
３．ロアシール１００の詳細な構成
次に、図７を参照して、ロアシール１００の構成について詳細に説明する。
【００６１】
ロアシール１００は、図７に示すように、現像ローラ９２の回転軸線方向の両端部から現像ローラ９２の回転方向下流側に向けて延出する一対の延出部１１０を備えている。なお、一対の延出部１１０は、それぞれ同一構造である。そのため、以下からは、現像ローラの回転軸線方向の右側端部から延出する右側の延出部１１０について詳細に説明する。
【００６２】
延出部１１０は、図８に示すように、サイドシール９５における現像ローラ９２の回転方向に延びる第１端９５ａと、第２端９５ｂとの間に配置されている。なお、第１端９５ａは、サイドシール９５における現像室９１ａ側に配置された端縁のことである。一方、第２端９５ｂは、サイドシール９５における第１端９５ａを挟んで現像室９１ａとは反対側に配置されている端縁のことである。言い換えると、延出部１１０は、サイドシール９５における現像ローラ９２の回転方向に延びる両端の間に配置されている。そのため、延出部１１０における現像ローラ９２の回転軸線方向の長さは、サイドシール９５における現像ローラ９２の回転軸線方向の長さよりも短くなるように構成されている。
【００６３】
また、延出部１１０は、第１端１１１と、現像ローラ９２の回転軸線方向において第１端１１１を挟んで現像室９１ａとは反対側に配置された第２端１１２と、を備えている。
【００６４】
第１端１１１は、現像ローラ９２の回転方向下流側に向かうにつれて、現像室９１ｃに近づくように配置されている。言い換えると、第１端１１１における現像ローラ９２の回転方向上流端１１１ａとサイドシール９５の第１端９５ａとの間の距離は、第１端１１１における現像ローラ９２の回転方向下流端１１１ｂとサイドシール９５の第１端９５ａとの間の距離よりも長くなるように構成されている。また、第１端１１１と現像ローラ９２の回転軸線方向とがなす角度αは、植毛材９７が倒れる方向と現像ローラ９２の回転軸線方向とがなす角度θよりも大きくなるように構成されている。
【００６５】
第２端１１２は、現像ローラ９２の回転方向下流側に向かうにつれて、現像室９１ａに近づくように配置されている。言い換えると、第２端１１２における現像ローラ９２の回転方向上流端１１２ａとサイドシール９５の第２端９５ｂとの間の距離は、第２端１１２における現像ローラ９２の回転方向下流端１１２ｂとサイドシール９５の第２端９５ｂとの間の距離よりも長くなるように構成されている。
【００６６】
なお、本実施形態において、第２端１１２における現像ローラ９２の回転方向上流端１１２ａは、第１端１１１における現像ローラ９２の回転方向上流端１１１ａと同じ位置に配置されている。また、第２端１１２における現像ローラ９２の回転方向下流端１１２ｂは、サイドシール９５の第２端９５ｂと重なるように配置されている。
【００６７】
また、第２端１１２と現像ローラ９２の回転軸線方向とがなす角度βは、植毛材９７が倒れる方向と現像ローラ９２の回転軸線方向とがなす角度θよりも小さくなるように構成されている。
【００６８】
４．実施形態１の作用効果
（１）ロアシール１００は、現像ローラ９２の回転軸線方向の端部から現像ローラ９２の回転方向下流側に延出する延出部１１０を備えている。
【００６９】
延出部１１０は、サイドシール９５における現像ローラ９２の回転方向に延びる両端の間に配置されている。
【００７０】
このような構成によれば、サイドシール９５上に侵入するトナーは、延出部１１０によって堰き止められる。すなわち、サイドシール９５とロアシール１００の段差から多量のトナーが侵入したとしても、侵入したトナーは、延出部１１０によって堰き止められる。
【００７１】
つまり、現像フレーム９１の内部に収容されたトナーが、現像フレーム９１の外部へと漏れることを抑制することができる。
【００７２】
（２）サイドシール９５は、基材９６と、基材９６上に配置された植毛材９７と、を有している。
【００７３】
このような構成によれば、植毛材９７は、現像ローラ９２の周面に対して密着した状態で接触する。
【００７４】
そのため、サイドシール９５は、現像ローラ９２との間に隙間が生じ難い。つまり、現像ローラ９２とサイドシール９５との間からのトナー漏れを抑制することができる。
【００７５】
（３）植毛材９７は、現像ローラ９２の回転方向下流側に向かうにつれて、現像室９１ａに近づくように倒れている。
【００７６】
このような構成によれば、サイドシール９５上に侵入したトナーは、現像ローラ９２の回転に伴い、植毛材９７が倒れている方向に沿って移動する。言い換えると、サイドシール９５上に侵入したトナーは、現像室９１ａに戻る。
【００７７】
そのため、サイドシール９５上に侵入したトナーは、サイドシール９５上にて長時間保持されない。つまり、トナーがサイドシール９５上にて固着することを抑制することができる。
【００７８】
（４）延出部１１０は、第１端１１１と、現像ローラ９２の回転軸線方向において第１端１１１を挟んで現像室９１ａとは反対側に配置された第２端１１２と、を有している。
【００７９】
第１端１１１は、現像ローラ９２の回転方向下流側に向かうにつれて、現像室９１ａに近づくように配置されている。
【００８０】
このような構成によれば、トナーが第１端１１１によって堰き止められている状態で、さらにトナーが侵入すると、先に第１端１１１に堰き止められていたトナーは、後に侵入してきたトナーによって押し込まれる。すると、先に第１端１１１に堰き止められていたトナーは、第１端１１１に沿って移動する。言い換えると、先に第１端１１１に堰き止められていたトナーは、現像室９１ａに戻る。
【００８１】
そのため、サイドシール９５上に侵入したトナーは、サイドシール９５上にて長時間保持されない。つまり、トナーがサイドシール９５上にて固着することを抑制できる。
【００８２】
（５）第１端１１１と現像ローラ９２の回転軸線方向とがなす角度αは、植毛材９７が倒れている方向と現像ローラ９２の回転軸線方向とがなす角度θよりも大きい。
【００８３】
第１端１１１と現像ローラ９２の回転軸線方向とがなす角度αが、植毛材９７が倒れる方向と現像ローラ９２の回転軸線方向とがなす角度θよりも小さい場合、第１端１１１に堰き止められているトナーは、サイドシール９５上から現像室９１ａへと戻るときに、第１端１１１に堰き止められる恐れがある。
【００８４】
しかしながら、このような構成によれば、第１端１１１に堰き止められているトナーは、サイドシール９５上から現像室９１ａへと戻るときに、第１端１１１に堰き止められ難い。言い換えると、第１端１１１に堰き止められているトナーは、サイドシール９５上から現像室９１ａへと戻りやすい。
【００８５】
そのため、サイドシール９５上に侵入したトナーは、サイドシール９５上にて長時間保持されない。つまり、トナーがサイドシール９５上にて固着することを抑制することができる。
【００８６】
（６）第２端１１２は、現像ローラ９２の回転方向下流側に向かうにつれて、現像室９１ａに近づくように配置されている。
【００８７】
サイドシール９５とロアシール１００の段差から多量のトナーが侵入することで、侵入したトナーの一部が第１端１１１にて堰き止めきれない場合、第１端１１１によって堰き止めきれなかったトナーは、サイドシール９５上から現像室９１ａへと戻るときに、第２端１１２に堰き止められてしまう恐れがある。
【００８８】
しかしながら、このような構成によれば、第１端１１１によって堰き止めきれなかったトナーは、第２端１１２に堰き止められ難い。
【００８９】
そのため、サイドシール９５上に侵入したトナーは、サイドシール９５上にて長時間保持されない。つまり、トナーがサイドシール９５上にて固着することを抑制することができる。
【００９０】
（７）第２端１１２と現像ローラ９２の回転軸線方向とがなす角度βは、サイドシール９５上に侵入したトナーを現像室９１ａに戻す方向と現像ローラ９２の回転軸線方向とがなす角度θよりも小さい。
【００９１】
このような構成によれば、第１端１１１で堰き止めきれなかったトナーは、さらに、サイドシール９５上から現像室９１ａへと戻るときに、第２端１１２に堰き止められ難い。
【００９２】
そのため、サイドシール９５上に侵入したトナーは、サイドシール９５上にて長時間保持されない。つまり、トナーがサイドシール９５上にて固着することを抑制することができる。
【００９３】
＜実施形態２＞
図９を参照して、実施形態２の延出部の構成について説明する。なお、実施形態１と同じ構成の部分については、同じ符号を付し、その詳細な説明を省略する。
【００９４】
実施形態２の延出部２００は、第１端２１０と、現像ローラ９２の回転軸線方向において第１端２１０を挟んで現像フレーム９１の現像室９１ａとは反対側に配置された第２端１１０と、を有している。
【００９５】
第１端２１０は、現像ローラ９２の回転方向下流側に向かうにつれて、現像室９１ａから離れるように配置されている。言い換えると、第１端２１０における現像ローラ９２の回転方向上流端２１０ａとサイドシール９５の第１端９５ａとの間の距離は、第１端２１０における現像ローラ９２の回転方向下流端２１０ｂとサイドシール９５の第１端９５ａとの間の距離よりも長くなるように構成されている。なお、本実施形態において、第１端２１０における現像ローラ９２の回転方向上流端２１０ａは、第２端１１２における現像ローラ９２の回転方向上流端１１２ａと同じ位置に配置されている。
【００９６】
このような構成によれば、サイドシール９５上にトナーが侵入したときに、当該トナーの一部は、第１端１１１に沿って移動する。
【００９７】
そのため、サイドシール９５上に侵入したトナーが、第１端１１１の近傍に溜まることを抑制できる。その結果、サイドシール９５上に侵入したトナーは、サイドシール上に長時間保持されない。つまり、トナーがサイドシール上にて固着することを抑制することができる。
【００９８】
また、第１端２１０と植毛材９７の倒れる方向とがなす角度γは、９０度である。
【００９９】
このような構成によれば、サイドシール９５上に多量のトナーが侵入したときに、当該トナーは、第１端２１０によって堰き止められつつ、第１端２１０に沿って広がる。
【０１００】
そのため、サイドシール９５上に侵入したトナーは、第１端２１０によって堰き止められる。その後、堰き止められたトナーは、第１端２１０の近傍に溜まり難い。つまり、現像室９１ａに収容されたトナーが、外部へと漏れることを抑制しつつ、サイドシール９５上にてトナーが固着することを抑制することができる。
【０１０１】
＜変形例＞
また、本実施形態において、サイドシールは、基材と、基材上に配置された植毛材と、を備えていた。しかし、本発明は、これに限定されない。たとえば、サイドシールは、基材と、基材上に配置された織物部材と、を備えていてもよい。
【０１０２】
また、実施形態１において、延出部の第１端は、現像ローラの回転方向下流側に向かうにつれて、現像室に近づくように配置されていた。しかし、本発明は、これに限定されない。たとえば、延出部の第１端は、現像ローラの回転方向下流側に向けて直線状に延びるように構成されていてもよい。
【０１０３】
また、実施形態１において、延出部の第２端は、現像ローラの回転方向下流側に向かうにつれて、現像室に近づくように配置されていた。しかし、本発明は、これに限定されない。たとえば、延出部の第２端は、現像ローラの回転方向下流側に向けて直線状に延びるように構成されていてもよい。
【符号の説明】
【０１０４】
１          レーザプリンタ
７０        プロセスユニット
９０        現像ユニット
９１        現像フレーム
９１ａ      現像室
９２        現像ローラ
９５        サイドシール
９５ａ      第１端
９５ｂ      第２端
９６        基材
９７        植毛材
１００      ロアシール
１１０      延出部
１１１      第１端
１１２      第２端
２００      延出部
２１０      第１端
【図１】
2015176105.tif 000003
【図２】
2015176105.tif 000004
【図３】
2015176105.tif 000005
【図４】
2015176105.tif 000006
【図５】
2015176105.tif 000007
【図６】
2015176105.tif 000008
【図７】
2015176105.tif 000009
【図９】
2015176105.tif 000010
【図８】
2015176105.tif 000011